(57)【要約】【課題】部品の種類数の増大を抑えながら、アース部材と端子金具との位置関係を複数の形態に変更できるようにする。【解決手段】フィルタ内蔵型コネクタは、ハウジング１０と、ハウジング１０に取り付けられた端子金具２０と、ハウジング１０に取り付けられたアース部材５０と、ハウジング１０内に収容され、端子金具２０とアース部材５０に接続されたコンデンサ３０（フィルタ）とを備えている。アース部材５０は、ハウジング１０に固定され、コンデンサ３０に接続された第１部材５１と、第１部材５１とは別体であって接地される第２部材５２と、第１部材５１に設けられ、第２部材５２をスライド可能に嵌合させる縦方向用ガイド部５３Ａ及び横方向用ガイド部５３Ｂを備える。【選択図】図３
2015103402.tif 000002
【特許請求の範囲】
【請求項１】
ハウジングと、
前記ハウジングに取り付けられた端子金具と、
前記ハウジングに取り付けられたアース部材と、
前記ハウジング内に収容され、前記端子金具と前記アース部材に接続されたフィルタとを備えたフィルタ内蔵型コネクタであって、
前記アース部材が、
前記ハウジングに固定され、前記フィルタに接続された第１部材と、
前記第１部材とは別体であって、接地される第２部材と、
前記第１部材に設けられ、前記第２部材をスライド可能に嵌合させるガイド部とを備えていることを特徴とするフィルタ内蔵型コネクタ。
【請求項２】
前記第１部材と前記第２部材のうちいずれか一方の前記部材に形成され、前記第２部材のスライド方向に間隔を空けた複数の係止部と、
他方の前記部材に形成され、前記係止部をセミロック状態で係止させるストッパとを備えていることを特徴とする請求項１記載のフィルタ内蔵型コネクタ。
【請求項３】
前記第２部材のスライド方向における一方の端部に形成され、前記ガイド部を通過可能な接地部と、
前記第２部材のスライド方向における他方の端部に形成され、前記ガイド部の通過を不能とされた抜止部とを備えていることを特徴とする請求項１又は請求項２記載のフィルタ内蔵型コネクタ。
【請求項４】
前記第２部材をスライドさせる方向が互いに交差する向きとなるように設定された２つの前記ガイド部を備え、
前記ガイド部は、夫々、前記第２部材の左右両側縁部を摺接させるように対向配置された２つの対向片からなる嵌合部を、前記第２部材のスライド方向に間隔を空けて２組配置して構成されており、
一方の前記ガイド部のうち前記２組の嵌合部の間の領域は、他方の前記ガイド部に嵌合されてスライドする前記第２部材の移動経路の一部となっていることを特徴とする請求項１ないし請求項３のいずれか１項に記載のフィルタ内蔵型コネクタ。
【発明の詳細な説明】
【技術分野】
【０００１】
本発明は、フィルタ内蔵型コネクタに関するものである。
【背景技術】
【０００２】
特許文献１には、ハウジングに端子金具とアース部材を取り付け、ハウジング内に収容したフィルタを端子金具とアース部材に接続した形態のフィルタ内蔵型コネクタが開示されている。このフィルタ内蔵型コネクタは、端子金具にワイヤーハーネス等の回路を接続し、アース部材を自動車のボディ等に接地することで、回路のノイズを除去するようになっている。
【先行技術文献】
【特許文献】
【０００３】
【特許文献１】特許第４５２４３１８号公報
【発明の概要】
【発明が解決しようとする課題】
【０００４】
上記のフィルタ内蔵型コネクタは、端子金具とアース部材の両方がハウジングに固定されているため、端子金具とアース部材の位置関係も一定である。そのため、例えば、端子金具が接続される回路と、アース部材が接続される接地部との位置関係が複数形態ある場合には、各形態に合うように、形状の異なる複数種類のハウジングやアース部材等を用意する必要がある。しかし、部品の種類数が増えることは、製造コストや管理コスト等の点で好ましくない。
本発明は上記のような事情に基づいて完成されたものであって、部品の種類数の増大を抑えながら、アース部材と端子金具との位置関係を複数の形態に変更できるようにすることを目的とする。
【課題を解決するための手段】
【０００５】
本発明のフィルタ内蔵型コネクタは、
ハウジングと、
前記ハウジングに取り付けられた端子金具と、
前記ハウジングに取り付けられたアース部材と、
前記ハウジング内に収容され、前記端子金具と前記アース部材に接続されたフィルタとを備えたフィルタ内蔵型コネクタであって、
前記アース部材が、
前記ハウジングに固定され、前記フィルタに接続された第１部材と、
前記第１部材とは別体であって、接地される第２部材と、
前記第１部材に設けられ、前記第２部材をスライド可能に嵌合させるガイド部とを備えているところに特徴を有する。
【発明の効果】
【０００６】
ガイド部に嵌合した第２部材をスライドさせることにより、第２部材と端子金具との位置関係を変化させることができる。本発明は、アース部材を２種類の部材に分割しただけで、アース部材と端子金具との位置関係を複数の形態に変更することができるので、部品の種類数の増大を抑えることができる。
【図面の簡単な説明】
【０００７】
【図１】実施例１のフィルタ内蔵型コネクタの平面図
【図２】図１のＸ−Ｘ線断面図
【図３】第２部材の取付け形態をあらわす底面図
【図４】第２部材の別の取付け形態をあらわす底面図
【図５】第２部材の更に別の取付け形態をあらわす底面図
【図６】図２のＹ−Ｙ線断面図
【発明を実施するための形態】
【０００８】
（１）本発明のフィルタ内蔵型コネクタは、前記第１部材と前記第２部材のうちいずれか一方の前記部材に形成され、前記第２部材のスライド方向に間隔を空けた複数の係止部と、他方の前記部材に形成され、前記係止部をセミロック状態で係止させるストッパとを備えていてもよい。
この構成によれば、係止部とストッパを係止させることにより、第２部材を、スライド経路における複数箇所において選択的に保持することができる。
【０００９】
（２）本発明のフィルタ内蔵型コネクタは、前記第２部材のスライド方向における一方の端部に形成され、前記ガイド部を通過可能な接地部と、前記第２部材のスライド方向における他方の端部に形成され、前記ガイド部の通過を不能とされた抜止部とを備えていてもよい。
この構成によれば、接地部を自動車のボディ等にボルト等で固定しておけば、第２部材に対し第１部材が接地部とは反対側へ相対移動したとしても、ガイド部が抜止部に突き当たることにより、それ以上の第１部材の相対移動が規制される。また、第１部材が接地部側へ相対移動した場合には、ハウジング又は第１部材がボルト等に突き当たることにより、それ以上の第１部材の相対移動が規制される。したがって、ハウジングと第２部材が離脱する虞はない。
【００１０】
（３）本発明のフィルタ内蔵型コネクタは、前記第２部材をスライドさせる方向が互いに交差する向きとなるように設定された２つの前記ガイド部を備え、前記ガイド部は、夫々、前記第２部材の左右両側縁部を摺接させるように対向配置された２つの対向片からなる嵌合部を、前記第２部材のスライド方向に間隔を空けて２組配置して構成されており、一方の前記ガイド部のうち前記２組の嵌合部の間の領域は、他方の前記ガイド部に嵌合されてスライドする前記第２部材の移動経路の一部となっていてもよい。
この構成によれば、一方のガイド部による第２部材のスライド経路と、他方のガイド部による第２部材のスライド経路とを交差させ、双方のガイド部による第２部材のスライド経路を共有化することができる。
【００１１】
＜実施例１＞
以下、本発明を具体化した実施例１を図１〜図６を参照して説明する。本実施例１のフィルタ内蔵型コネクタＣは、合成樹脂製のハウジング１０と、端子金具２０と、一対のコンデンサ３０（請求項に記載のフィルタ）と、１つのコイル４０と、アース部材５０とを備えて構成されている。尚、以下の説明において、上下の方向については図２に表れる向きを基準とし、前後方向については図１〜５における左側を前側と定義する。
【００１２】
＜ハウジング１０＞
図１，２に示すように、ハウジング１０は、上面が開放された箱形部材１１と、フード部１２とを一体に形成して構成されている。箱形部材１１の上面の開口部は、カバー１３によって閉塞されるようになっている。箱形部材１１を構成する底壁部１４の後端部には、上下方向に貫通した形態の切欠部１５が形成されている。フード部１２は、箱形部材１１を構成する前壁部１６の外周縁から前方へ角筒状に延出した形態である。
【００１３】
＜端子金具２０＞
端子金具２０は、全体として前後方向に細長い形状である。一対の端子金具２０は、左右に並列するように配されており、前壁部１６を前後に貫通した状態でインサート成形によりハウジング１０（箱形部材１１）と一体化されている。端子金具２０の前端側領域を構成するタブ２１は、フード部１２内に収容され、図示しない回路を構成する相手側端子（図示省略）に接続されるようになっている。端子金具２０の後端部領域を構成する溶接部２２は、箱形部材１１内に収容されている。溶接部２２の上面には、コンデンサ３０のリード線３２Ｆが半田２３（溶接）により接続されている。
【００１４】
＜コンデンサ３０＞
コンデンサ３０は、コンデンサ本体３１と、コンデンサ本体３１から延出する前後一対のリード線３２Ｆ，３２Ｒとを備えて構成されている。コンデンサ本体３１は、側面視が横長の略方形をなし、幅寸法は、前後寸法及び上下寸法に比べて小さい。コンデンサ３０は、箱形部材１１内における左右両端部に配されている。一対のリード線３２Ｆ，３２Ｒは、いずれも、コンデンサ本体３１の上面における前端部と後端部から上向きに導出されている。上向きに導出された前側のリード線３２Ｆは、前方へ転向するように屈曲され、その先端部が、半田２３により端子金具２０の溶接部２２の上面に導通可能に接続されている。また、上向きに導出された後側のリード線３２Ｒは、後方へ転向し、その先端部が、半田２３（溶接）により後述するアース部材５０に導通可能に接続されている。
【００１５】
＜コイル４０＞
コイル４０は、軸線を前後方向に向けた円柱形のコア４１の外周に螺旋状に巻き付けられて構成され、箱形部材１１内に収容されている。コイル４０は、底壁部１４の上面に載置された状態で、左右一対のコンデンサ３０の間に配されている。コイル４０の両端部は、一対の端子金具２０の溶接部２２に、半田２３（溶接）により導通可能に接続される。コイル４０の溶接は、コンデンサ３０の前側のリード線３２Ｆを溶接する工程で同時に行われる。上記のようにアース部材５０と端子金具２０に接続されたコイル４０と２つのコンデンサ３０は、π型のフィルタ回路を構成し、端子金具２０に接続された回路のノイズを効果的に除去するフィルタとしての機能を発揮する。
【００１６】
＜アース部材５０＞
図２〜５に示すように、アース部材５０は、金属製の第１部材５１と、第１部材５１とは別体の部品である金属製の第２部材５２とから構成されている。第１部材５１は、平面視が略正方形をなす平板状の金属板材に、曲げ加工等を施して成形されている。図２，３に示すように、第１部材５１の下面には、第２部材５２を前後方向へのスライド可能に支持するための縦方向用ガイド部５３Ａ （請求項に記載のガイド部）と、第２部材５２を左右方向（幅方向）へのスライド可能に支持するための横方向用ガイド部５３Ｂ（請求項に記載のガイド部）が形成されている。
【００１７】
図３に示すように、縦方向用ガイド部５３Ａは、前後方向に間隔を空けた２組の嵌合部５４Ａによって構成されている。各嵌合部５４Ａは、夫々、左右方向に間隔を空けた一対の対向片５５Ａから構成されている。一対の対向片５５Ａは、第１部材５１の一部を下方（第１部材５１をハウジング１０と一体化させた状態では、箱形部材１１の外面側）へ突出するように切り起こして形成されている。一対の対向片５５Ａの下端部は、互いに相手側の対向片５５Ａに向かって突出するように曲げ加工されている。
【００１８】
横方向用ガイド部５３Ｂは、縦方向用ガイド部５３Ａを平面視において９０°転向させた形態である。即ち、横方向用ガイド部５３Ｂは、左右方向に間隔を空けた２組の嵌合部５４Ｂによって構成されている。各嵌合部５４Ｂは、夫々、前後方向に間隔を空けた一対の対向片５５Ｂから構成されている。一対の対向片５５Ｂは、第１部材５１の一部を下方（第１部材５１をハウジング１０と一体化させた状態では、箱形部材１１の外面側）へ突出するように切り起こして形成されている。一対の対向片５５Ｂの下端部は、互いに相手側の対向片５５Ｂに向かって突出するように曲げ加工されている。
【００１９】
第２部材５２は、平面視形状が細長い略方形の平板状の金属板材に、曲げ加工等を施して成形されている。図２に示すように、第２部材５２は、第１部材５１の下面にほぼ面当たり状態で重ね合わせられる細長い略平板状の摺接部５６と、摺接部５６と平行であり且つ摺接部５６に対して段差状に低くなった接地部５７とから構成されている。図３に示すように、摺接部５６の幅方向における両側縁部は、摺接部５６（第２部材５２）の長さ方向と平行をなす一対のガイド縁部５８となっている。
【００２０】
また、摺接部５６における一方の端部には、ガイド縁部５８よりも幅方向外側に突出した形態の一対の抜止部５９が形成されている。接地部５７は、摺接部５６のうち抜止部５９とは反対側の端縁に連なり、摺接部５６から抜止部５９とは反対方向へ突出した形態である。接地部５７の幅寸法（第２部材５２の長さ方向と直交する方向）は、摺接部５６の幅寸法よりも小さい。したがって、ガイド縁部５８は、接地部５７の両側縁よりも幅方向外方へ張り出した形態となっている。接地部５７には、貫通形態の取付孔６０が形成されている。
【００２１】
第２部材５２は、第１部材５１に対し、縦方向用ガイド部５３Ａにより前後方向へのスライドを可能とされた形態と、横方向用ガイド部５３Ｂにより左右方向へのスライドを可能とされた形態とに選択的に取り付けることができる。第２部材５２をガイド部５３Ａ，５３Ｂに取り付けた状態では、摺接部５６の上面が、第１部材５１の下面に対して面当たりするように重ねられ、一対のガイド縁部５８がスライド方向に間隔を空けた二対の対向片５５Ａ，５５Ｂに嵌合される。
【００２２】
縦方向用ガイド部５３Ａによる第２部材５２のスライド経路（ガイド方向）と、横方向用ガイド部５３Ｂによる第２部材５２のスライド経路（ガイド方向）は、直角に交差する関係である。つまり、縦方向用ガイド部５３Ａのうち前後方向に間隔を空けた２組の嵌合部５４Ａの間の領域は、横方向用ガイド部５３Ｂにガイドされた第２部材５２の左右方向のスライド経路の一部となっている。そして、横方向用ガイド部５３Ｂのうち左右方向に間隔を空けた２組の嵌合部５４Ｂの間の領域は、縦方向用ガイド部５３Ａにガイドされた第２部材５２の前後方向のスライド経路の一部となっている。
【００２３】
第１部材５１には、縦方向用ガイド部５３Ａによるスライド経路と横方向用ガイド部５３Ｂによるスライド経路とが重なる正方形領域の中心部を下方へ球面状に突出させた形態のストッパ６１が形成されている。一方、摺接部５６には、その上面（第１部材５１との対向面）を球面状に凹ませた形態の３つの係止部６２が形成されている。３つの係止部６２は、摺接部５６の長さ方向と直交する幅方向における中央位置に配置され、摺接部５６の長さ方向に所定のピッチで並ぶように配置されている。
【００２４】
ハウジング１０に対するアース部材５０の取付け構造は、次の通りである。第１部材５１は、インサート成形によりハウジング１０と一体化されている。第１部材５１は、底壁部１４の下面（外面）に重なるように配され、底壁部１４の切欠部１５を塞いでいる。第１部材５１の下面は、その全領域がハウジング１０の外面に露出しているとともに、第１部材５１の下面とハウジング１０の下面が面一状に連なっている。第１部材５１の上面のうち切欠部１５において箱形部材１１内に露出する領域においては、後側のリード線３２Ｒの先端部が、半田２３（溶接）により接続されている。
【００２５】
第２部材５２は、ハウジング１０及び第１部材５１に対し、３つの形態で取り付けることができる。１つは、図３，４に示すように、第２部材５２を、抜止部５９が前端側に位置し、接地部５７が後端側に位置するように前後方向に向け、ハウジング１０の前方から摺接部５６をスライドさせながら、縦方向用ガイド部５３Ａの対向片５５Ａ（嵌合部５４Ａ）にガイド縁部５８を嵌合させる。そして、接地部５７がハウジング１０の前方へ突き出したところで、第２部材５２をハウジング１０に対し前後方向に位置決めし、３つの係止部６２のうちいずれか１つをストッパ６１に係止させる。この係止部６２とストッパ６１の係止は、所謂セミロックであるから、係止部６２とストッパ６１との係止力を上回る押し引き力を付与すれば、第２部材５２をハウジング１０に対して前後方向に移動させることができる。
【００２６】
２つ目の取付け形態は、底面視である図５に示すように、第２部材５２を、抜止部５９が左端側に位置し、接地部５７が右端側に位置するように左右方向に向け、ハウジング１０の左方から摺接部５６をスライドさせながら、横方向用ガイド部５３Ｂの対向片５５Ｂ（嵌合部５４Ｂ）にガイド縁部５８を嵌合させる。そして、第２部材５２をハウジング１０に対し左右方向に位置決めし、３つの係止部６２のうちいずれか１つをストッパ６１に係止させる。３つ目の取付け形態は、図示は省略するが、図５とは左右逆の向きである。
【００２７】
第２部材５２を、上記のいずれかの形態で第１部材５１及びハウジング１０に組み付けた状態では、図２に示すように、接地部５７の下面が、合計四対の対向片５５Ａ，５５Ｂの下面と同じ高さとなる。したがって、フィルタ内蔵型コネクタＣは、四対の対向片５５Ａ，５５Ｂ及び接地部５７の下面を、自動車のボディ等における平坦状の接地面７０に対して安定して当接させることができる。この状態では、接地面７０に対し、接地部５７が、その全領域に亘る広い範囲で面当たりする。そして、図２に示すように、接地部５７の上方から取付孔６０に貫通したボルト７１を接地面７０側にねじ込むことにより、アース部材５０が接地面７０に対して導通可能に固定される。
【００２８】
＜実施例１の作用及び効果＞
フィルタ内蔵型コネクタＣの製造工程を説明する。まず、インサート成形により、ハウジング１０を成形すると同時に、ハウジング１０と一対の端子金具２０を一体化させるとともに、ハウジング１０と第１部材５１を一体化させる。次に、箱形部材１１内にコイル４０とコンデンサ３０を収容し、コイル４０を端子金具２０に接続するとともに、コンデンサ３０のリード線３２Ｆ，３２Ｒを端子金具２０と第１部材５１に接続する。その後、第２部材５２を第１部材５１に組み付ける。尚、第２部材５２と第１部材５１の組付けは、コンデンサ３０とコイル４０を半田２３により接続する工程よりも先に行ってもよい。
【００２９】
本実施例のフィルタ内蔵型コネクタＣは、ハウジング１０と、ハウジング１０に取り付けられた端子金具２０と、ハウジング１０に取り付けられたアース部材５０と、ハウジング１０内に収容され、端子金具２０とアース部材５０に接続されたコンデンサ３０とを備えており、部品の種類数の増大を抑えながら、アース部材５０の取付孔６０と端子金具２０のタブ２１との位置関係（即ち、ハウジング１０からの接地部５７の突出方向及び突出寸法）を複数の形態に変更することを可能にしている。
【００３０】
そのための手段として、アース部材５０を、ハウジング１０に固定されてコンデンサ３０フィルタに接続された第１部材５１と、第１部材５１とは別体であって接地される第２部材５２とで構成し、第１部材５１に、第２部材５２をスライド可能に嵌合させる縦方向用ガイド部５３Ａ及び横方向用ガイド部５３Ｂを設けた。この構成によれば、いずれかのガイド部５３Ａ，５３Ｂに嵌合した第２部材５２をスライドさせることにより、第２部材５２と端子金具２０との位置関係を変化させることができる。本実施例のフィルタ内蔵型コネクタＣは、アース部材５０を２種類の部材５１，５２に分割しただけで、アース部材５０と端子金具２０との位置関係を複数の形態に変更することができるので、部品の種類数の増大を抑えることができる。
【００３１】
また、本実施例のフィルタ内蔵型コネクタＣは、第２部材５２に、第２部材５２のスライド方向に間隔を空けた複数の係止部６２を形成し、第１部材５１に、係止部６２をセミロック状態で係止させるストッパ６１を形成した。この構成によれば、係止部６２とストッパ６１を係止させることにより、第２部材５２を、そのスライド経路における複数箇所において選択的に保持することができる。
【００３２】
また、第２部材５２のスライド方向における一方の端部には、ガイド部を通過可能な接地部５７を形成し、第２部材５２のスライド方向における他方の端部には、ガイド部の通過を不能とされた抜止部５９を形成した。そして、接地部５７の取付孔６０にボルト７１を貫通させ、ボルト７１の頭部が接地部５７の上方（第２部材５２のスライド方向と交差する方向）へ突出させた。この構成によれば、第２部材５２に対し第１部材５１とハウジング１０が接地部５７とは反対側へ相対移動したとしても、ガイド部の対向片５５Ａ，５５Ｂが抜止部５９に突き当たることにより、それ以上の第１部材５１及びハウジング１０の相対移動が規制される。また、第１部材５１とハウジング１０が接地部５７側へ相対移動した場合には、ハウジング１０がボルト７１に突き当たることにより、それ以上の第１部材５１の相対移動が規制される。したがって、ハウジング１０と第２部材５２が離脱する虞はない。
【００３３】
また、フィルタ内蔵型コネクタＣは、第２部材５２をスライドさせる方向が互いに交差する向きとなるように設定された縦方向用ガイド部５３Ａと横方向用ガイド部５３Ｂを備えており、各ガイド部５３Ａ，５３Ｂは、夫々、第２部材５２の左右両側縁のガイド縁部５８を摺接させるように対向配置された２つの対向片５５Ａ，５５Ｂからなる嵌合部５４Ａ，５４Ｂを、第２部材５２のスライド方向に間隔を空けて２組配置して構成されている。そして、縦方向用ガイド部５３Ａのうち２組の嵌合部５４Ａの間の領域を、横方向用ガイド部５３Ｂに嵌合されてスライドする第２部材５２の移動経路の一部とし、横方向用ガイド部５３Ｂのうち２組の嵌合部５４Ｂの間の領域を、縦方向用ガイド部５３Ａに嵌合されてスライドする第２部材５２の移動経路の一部としている。この構成によれば、縦方向用ガイド部５３Ａによる第２部材５２のスライド経路と、横方向用ガイド部５３Ｂによる第２部材５２のスライド経路とを交差させ、双方のガイド部５３Ａ，５３Ｂによる第２部材５２のスライド経路の一部を共有化することが実現されている。
【００３４】
＜他の実施例＞
本発明は上記記述及び図面によって説明した実施例に限定されるものではなく、例えば次のような実施例も本発明の技術的範囲に含まれる。
（１）上記実施例では、複数の係止部を第２部材に形成し、ストッパを第１部材に形成したが、複数の係止部を第１部材に形成し、ストッパを第２部材に形成してもよい。
（２）上記実施例では、ストッパの数を１つだけとしたが、複数のストッパを、係止部と同じピッチで形成してもよい。
（３）上記実施例では、係止部の数を３つとしたが、係止部の数は、２つでもよく、４つ以上でもよい。
（４）上記実施例では、第２部材における接地部とは反対側の端部に抜止部を形成したが、このような抜止部を形成しない形態としてもよい。
（５）上記実施例では、一方のガイド部による第２部材のスライド経路と、他方のガイド部による第２部材のスライド経路とを交差させたが、２つのガイド部による第２部材のスライド経路が交差しない形態であってもよい。
（６）上記実施例では、２つのガイド部を設けたが、ガイド部の数は、１つだけでもよく、３つ以上であってもよい。
（７）上記実施例１では、２つのコンデンサと１つのコイルによりπ形のフィルタ回路が構成されているが、本発明は、フィルタ回路が、１つのコンデンサと１つのコイルで構成されている場合や、１つのコンデンサで構成されている場合や、２つのコンデンサで構成されている場合にも適用できる。
（８）上記実施例では、ガイド部の下面と接地部の下面を面一の高さとしたが、接地部の下面がガイド部の下面よりも更に下方に位置するように、第２部材を段差状に大きく屈曲した形態としてもよい。
（９）上記実施例では、第２部材と第１部材を互いに平行な板状としたが、第２部材のうち取付孔が形成されている接地部が、第１部材に対して斜めの向き又は直角な向きであってもよい。
（１０）上記実施例では、接地部を接地面に固定する手段として、接地部の上方から取付孔に貫通したボルトを接地面側へねじ込むようにしたが、これに限らず、接地面から突出したスタッドボルトを取付孔に貫通させ、接地部の上方においてスタッドボルトにナットをねじ込んでもよい。
【符号の説明】
【００３５】
１０…ハウジング
２０…端子金具
３０…コンデンサ（フィルタ）
５０…アース部材
５１…第１部材
５２…第２部材
５３Ａ…縦方向用ガイド部（ガイド部）
５３Ｂ…横方向用ガイド部（ガイド部）
５４Ａ，５４Ｂ…嵌合部
５５Ａ，５５Ｂ…対向片
５７…接地部
５９…抜止部
６１…ストッパ
６２…係止部
【図１】
2015103402.tif 000003
【図２】
2015103402.tif 000004
【図３】
2015103402.tif 000005
【図４】
2015103402.tif 000006
【図５】
2015103402.tif 000007
【図６】
2015103402.tif 000008